(57)【要約】    【課題】室内親機の機器内への記名シートの挿入、取り出しを容易として利便性を高める。    【解決手段】各種ボタン３２の機能や監視カメラの設置場所を表記した記名シート４１を覆うためのカバーとして、ディスプレイ３３を覆うためのディスプレイカバー４０を適用させ、このディスプレイカバーが取り付けられる室内親機３の上ケース３ａにガイドスロープ５０を設け、記名シート保持部３５にて記名シートを保持させるために上ケースに設けられる保持用バネ５１の先端片５１ａを曲面形状に形成する。また、記名シート保持部を、ディスプレイカバーのうち映像の出画のために使用する区域を除く外周部４０ａに位置させる。    【選択図】  図２
2005051528.tif 000002
【特許請求の範囲】
【請求項１】
玄関子機（１）または監視カメラ（２ａ、２ｂ、２ｃ）にて撮像された映像を室内親機（３）のディスプレイ（３３）にて出画し、前記玄関子機および前記室内親機の間で通話を行うインターホン装置であって、
前記室内親機は、インターホンの上ケース（３ａ）と下ケース（３ｂ）とを嵌合し、前記上ケースに、前記監視カメラの視野を照明するためのライトボタン、前記監視カメラを動作させるための監視カメラボタン等の各種ボタン（３２）および前記ディスプレイを配設し、前記ディスプレイを覆うためのディスプレイカバー（４０）を前記上ケースに取り付けて構成され、
前記上ケースに前記ディスプレイカバーを取り付けたとき、前記上ケースと前記ディスプレイカバーとの間に、前記各種ボタンの機能および前記監視カメラの設置場所を表記するための記名シート（４１）が挿入される記名シート挿入口（３４）および前記挿入された記名シートを保持するための記名シート保持部（３５）を形成したことを特徴とするインターホン装置。
【請求項２】
前記記名シート保持部は、前記ディスプレイカバーのうち映像を出画させるために使用される区域を除く外周部（４０ａ）に位置することを特徴とする請求項１記載のインターホン装置。
【請求項３】
前記記名シート挿入口が設けられる側の前記上ケースは、前記記名シートの挿入、取り出しが容易となるようにガイドスロープ（５０）を有することを特徴とする請求項１または請求項２記載のインターホン装置。
【請求項４】
前記上ケースに、前記記名シート保持部にて前記記名シートを保持させるための保持用バネ（５１）を設けたことを特徴とする請求項１乃至請求項３のうち何れか１項記載のインターホン装置。
【請求項５】
前記保持用バネの先端片（５１ａ）は、前記記名シートの挿入、取り出しが容易となるように曲面形状としたことを特徴とする請求項４記載のインターホン装置。
【発明の詳細な説明】
【技術分野】
【０００１】
本発明はインターホン装置に係り、特に、記名シートの挿入、取り出しを容易として利便性を高めた構造を有するインターホン装置に関する。
【背景技術】
【０００２】
従来から、この種のインターホン装置として、玄関（住戸玄関）に居る来訪者により呼出操作が行われた玄関子機からの呼び出しを、住戸内に設置される室内親機にて報知し、この呼出報知を確認した居住者が来訪者との間で通話を行うインターホン装置が提案されている（例えば、非特許文献１を参照）。
【０００３】
従来例のインターホン装置において、住戸内に設置される室内親機の上ケースには、玄関子機からの呼び出しを報知するための呼出音を放音するスピーカ、玄関子機のカメラにて撮像された映像、例えば、呼出操作を行った来訪者の映像（来訪者周辺の映像を含む）を出画するためのＬＣＤ（Liquid Crystal Display）、有機ＥＬ（Electroluminesence）等のディスプレイ、居住者が来訪者との間で通話を行うための音声を送受信（入出力）するハンドセットと、玄関戸の電気錠を解錠させるための電気錠ボタン、玄関子機のカメラを動作（チルト動作を含む）させるためのカメラボタン、玄関子機のカメラの視野を照明するためのライトボタン（白色ライトボタン）およびディスプレイを動作させるためのディスプレイボタン等の各種ボタンとが配設されている。
【０００４】
【非特許文献１】アイホン  総合カタログ  ２００３／２００４年度版（２０ページ）
【発明の開示】
【発明が解決しようとする課題】
【０００５】
しかしながら、従来例のインターホン装置において、室内親機の上ケースに上述の各種ボタンを配設させるにあたり、各種ボタンの機能を表記するためには、表記の内容を上ケースに直接書き込む、または表記の内容を記名シートに書き込み、この記名シートを覆うためのカバーや保持部を別途設ける必要があり部品点数が増えてしまう難点があった。
【０００６】
本発明は、上述の難点を解消するためになされたもので、記名シートを覆うためのカバーとしてディスプレイカバーを適用し、室内親機の機器内への記名シートの挿入、取り出しが容易となり利便性を高めた構造を有するインターホン装置を提供することを目的としている。
【課題を解決するための手段】
【０００７】
上述の目的を達成するため、本発明の第１の態様であるインターホン装置は、玄関子機または監視カメラにて撮像された映像を室内親機のディスプレイにて出画し、玄関子機および室内親機の間で通話を行う当該装置である。室内親機は、インターホンの上ケースと下ケースとを嵌合し、上ケースに、監視カメラの視野を照明するためのライトボタン、監視カメラを動作させるための監視カメラボタン等の各種ボタンおよびディスプレイを配設し、ディスプレイを覆うためのディスプレイカバーを上ケースに取り付けて構成される。上ケースにディスプレイカバーを取り付けたとき、上ケースとディスプレイカバーとの間に、各種ボタンの機能および監視カメラの設置場所を表記するための記名シートが挿入される記名シート挿入口および挿入された記名シートを保持するための記名シート保持部を形成している。
【０００８】
また、本発明の第１の態様は本発明の第２の態様であるインターホン装置において、記名シート保持部は、ディスプレイカバーのうち映像を出画させるために使用される区域を除く外周部に位置している。
【０００９】
また、本発明の第１、第２の各態様は本発明の第３の態様であるインターホン装置において、記名シート挿入口が設けられる側の上ケースは、記名シートの挿入、取り出しが容易となるようにガイドスロープを有する。
【００１０】
また、本発明の第１、第２、第３の各態様は本発明の第４の態様であるインターホン装置において、インターホン装置は、上ケースに、記名シート保持部にて記名シートを保持させるための保持用バネを設けている。
【００１１】
また、本発明の第４の態様は本発明の第５の態様であるインターホン装置において、保持用バネの先端片は、記名シートの挿入、取り出しが容易となるように曲面形状としている。
【発明の効果】
【００１２】
本発明のインターホン装置の第１の態様によれば、各種ボタンの機能や監視カメラの設置場所を表記した記名シートを覆うためのカバーとして、玄関子機のカメラ、または監視カメラにて撮像された映像を出画するディスプレイを覆うためのディスプレイカバーを適用することができる。また、ディスプレイカバーを室内親機の上ケースに取り付けるにあたり、記名シートは、上ケースとディスプレイカバーとの間に形成される記名シート挿入部から挿入され、記名シート保持部にて保持されることにより、記名シートを覆うためのカバーや上ケースに形成された記名シート保持部以外の保持部を別途設ける必要がなく部品点数の増加を解消できコストが低く抑えられる。
【００１３】
また、本発明のインターホン装置の第２の態様によれば、室内親機の上ケースに取り付けられるディスプレイカバーのうち、映像を出画させるために使用される以外の外周部の位置を記名シート保持部として使用することができる。
【００１４】
また、本発明のインターホン装置の第３の態様によれば、記名シート保持部が設けられる室内親機の上ケースにガイドスロープが設けられることにより、記名シートの挿入、取り出しが容易となり利便性が高められる。
【００１５】
さらに、本発明のインターホン装置の第４、第５の各態様によれば、記名シートを記名シート保持部に設けられる保持用バネにて保持させるにあたり、保持用バネの先端片を曲面形状に形成することにより、記名シートの挿入、取り出しが容易となり利便性が高められる。
【発明を実施するための最良の形態】
【００１６】
以下、本発明のインターホン装置を適用した最良の実施の形態例について、図面を参照して説明する。
【００１７】
図１は、本発明の実施例によるインターホン装置を示すシステム構成図である。
【００１８】
図１のシステム構成図に示すインターホン装置は、玄関（住戸玄関）に設置され、来訪者が住戸内に在室中の居住者を呼び出して通話を行うとともに、呼出操作を行った来訪者の映像（来訪者周辺の映像を含む）を撮像するための玄関子機１と、玄関先等の住戸外に設置され、住戸外の様子を監視するために所定のエリア内の映像を撮像する監視カメラ、ここでは、３台の監視カメラ２ａ、２ｂ、２ｃと、来訪者により呼出操作が行われた玄関子機１からの呼び出しを報知し、玄関子機１または監視カメラ２ａ、２ｂ、２ｃにて撮像された映像を出画するばかりでなく、上述の呼出報知を確認した居住者が来訪者との間で通話を行うための室内親機３とから構成され、この室内親機３には、親機ラインＬ1を介して玄関子機１とカメララインＬ2a、Ｌ2b、Ｌ2cを介して監視カメラ２ａ、２ｂ、２ｃとがそれぞれ接続されている。
【００１９】
なお、住戸外の様子を監視するために所定のエリア内の映像を撮像する監視カメラは、３台に限定されず、任意の台数を玄関先等の住戸外に設置することができる。
【００２０】
図１のシステム構成図において、玄関子機１は、来訪者が呼出操作を行うための呼出ボタン１０と、呼出操作を行った来訪者の映像（来訪者周辺の映像を含む）を撮像するためのカメラ（以下、子機カメラという。）１１と、来訪者が居住者との間で通話を行うための音声を送受信（入出力）するマイク（以下、子機マイクという。）１２およびスピーカ（以下、子機スピーカという。）１３とを有する。
【００２１】
また、図２（ａ）は、室内親機３の外観構成として、居住者が来訪者との間で通話を行うために用いるハンドセット３１が取り上げられている状態（通話状態）を示す斜視図であり、図２（ｂ）は、同様に室内親機３の外観構成として、上述のハンドセット３１が戻されている状態（非通話状態）を示す斜視図であり、図２（ｃ）は、室内親機３の上ケース３ａの外観構成を示す斜視図である。
【００２２】
図２（ａ）、（ｂ）の各斜視図に示す室内親機３は、来訪者により呼出操作が行われた玄関子機１からの呼び出しを報知するための呼出音を放音するスピーカ（以下、親機スピーカという。）３０と、居住者が来訪者との間で通話を行うための音声を送受信（入出力）するマイクおよびレシーバ（図示せず）が備えられた上述のハンドセット３１と、監視カメラ２ａ、２ｂ、２ｃの視野を照明するためのライトボタン、監視カメラ２ａ、２ｂ、２ｃを動作させるための監視カメラボタン等の各種ボタン３２と、玄関子機１の子機カメラ１１または監視カメラ２ａ、２ｂ、２ｃにて撮像された映像を出画するためのＬＣＤ、有機ＥＬ等のディスプレイ３３とが配設された上ケース３ａに下ケース３ｂが嵌合される構造であり、この上ケース３ａには、ディスプレイ３３を覆うために全体が透明性を有しているディスプレイカバー４０が取り付けられている。
【００２３】
また、室内親機３として嵌合されている上ケース３ａおよび下ケース３ｂのうち、上ケース３ａには、図２（ａ）、（ｂ）の各斜視図に示すように、上ケース３ａにディスプレイカバー４０を取り付けたとき、上ケース３ａとディスプレイカバー４０との間に各種ボタン３２の機能や監視カメラ２ａ、２ｂ、２ｃの設置場所を表記するための記名シート４１を挿入させる記名シート挿入口３４が形成されている。
【００２４】
また、室内親機３として嵌合されている上ケース３ａおよび下ケース３ｂのうち、上ケース３ａには、上述の記名シート挿入口３４のみならず図２（ｃ）の斜視図に示すように、上ケース３ａにディスプレイカバー４０を取り付けたとき、記名シート挿入口３４に挿入された記名シート４１を保持するための記名シート保持部３５が形成されており、この記名シート保持部３５は、ディスプレイカバー４０のうち映像を出画させるために使用される区域を除く外周部４０ａが用いられている。
【００２５】
さらに、記名シート保持部３５が設けられる側の上ケース３ａには、図２（ｃ）の斜視図に示すように、記名シート４１の挿入、取り出しが容易となるような（段差を有する）ガイドスロープ５０と、記名シート保持部３５にて記名シート４１を保持させるための保持用バネ５１とが設けられており、この保持用バネ５１の先端片５１ａは、曲面形状に形成、例えば、半球面状の凸部に形成されている。
【００２６】
このような構造を有する本発明の実施例によるインターホン装置において、以下、室内親機３に記名シート４１を挿入させる際の挿入方法および取出方法について具体的に説明する。
【００２７】
なお、図１のシステム構成図および図２（ａ）、（ｂ）の各斜視図に示すように、本発明の実施例によるインターホン装置において、住戸玄関に居る来訪者が玄関子機１の呼出ボタン１０を操作し、この呼出操作を検出した室内親機３が親機スピーカ３０から呼出音を放音させ、併せて玄関子機１のカメラ１１にて撮像された映像をディスプレイ３３に出画させるための呼出報知の動作、上述の呼出報知を確認した住戸内に在室中の居住者が室内親機３のハンドセット３１を取り上げ、このハンドセット３１と来訪者が用いる玄関子機１の子機マイク１２および子機スピーカ１３との間で通話を成立させるための動作、監視時に居住者が室内親機３の各種ボタン３２を操作して監視カメラ２ａ、２ｂ、２ｃを制御するための動作は、従来例の該当動作とそれぞれ同様であることにより説明は省略する。
【００２８】
図２（ａ）、（ｂ）の各斜視図に示すように、室内親機３として嵌合されている上ケース３ａおよび下ケース３ｂのうち、上ケース３ａにディスプレイカバー４０を取り付けたとき、上ケース３ａとディスプレイカバー４０との間に記名シート４１を挿入させるためには、この記名シート４１を記名シート挿入口３４から挿入する。ここで、記名シート挿入口３４が設けられる側の上ケース３ａは、図２（ｃ）の斜視図に示すようなガイドスロープ５０を有しており、このガイドスロープ５０とディスプレイカバー４０との間に大きな開口部が形成され、また、記名シート保持部３５に設けられている保持用バネ５１の先端片５１ａが曲面形状に形成、例えば、半球面上の凸部に形成されていることから、記名シート４１の挿入が容易となり利便性が高められる。
【００２９】
また、図２（ａ）、（ｂ）、（ｃ）の各斜視図において、記名シート挿入口３４から挿入させた記名シート４１は、記名シート４１に表記されている内容が各種ボタン３２、監視カメラ２ａ、２ｂ、２ｃにそれぞれ対応するような所定の位置となるように記名シート保持部３５に設けられている保持用バネ５１にて保持されることにより、記名シート４１のずれを防止できるばかりでなく、記名シート保持部３５以外の保持部を別途設ける必要がなく部品点数の増加を解消できコストが低く抑えられる。
【００３０】
さらに、図２（ａ）、（ｂ）の各斜視図において、ディスプレイカバー４０は、ディスプレイ３３の表示面だけでなく全体が透明性を有しており、記名カード保持部３５は、ディスプレイカバー４０のうち映像を表示させるために使用される以外の外周部４０ａを用いていることから、ディスプレイカバー４０とは別途に記名カード４１を覆うためのカバーを設ける必要がなく部品点数の増加を解消できコストが低く抑えられる。
【００３１】
なお、図２（ａ）、（ｂ）、（ｃ）の各斜視図において、記名シート保持部３５に設けられている保持用バネ５１の先端片５１ａは、曲面形状に形成、例えば、半球面上の凸部に形成されていることにより、上述の挿入時と同様、記名シート４１をピンセット等の工具を用いて記名シート挿入口３４から取り出す場合でも取り出しが容易となり利便性が高められる。
【図面の簡単な説明】
【００３２】
【図１】図１は、本発明の実施例によるインターホン装置を示すシステム構成図である。
【図２】図２（ａ）、（ｂ）は、本発明の実施例によるインターホン装置において、室内親機の外観構成をそれぞれ示す斜視図であり、図２（ｃ）は、本発明の実施例によるインターホン装置において、室内親機の上ケースの外観構成を示す斜視図である。
【符号の説明】
【００３３】
１……玄関子機
２ａ、２ｂ、２ｃ……監視カメラ
３……室内親機
３ａ……上ケース
３ｂ……下ケース
３２……各種ボタン
３３……ディスプレイ
３４……記名シート挿入口
３５……記名シート保持部
４０……ディスプレイカバー
４０ａ……外周部
４１……記名シート
５０……ガイドスロープ
５１……保持用バネ
５１ａ……先端片
【図１】
2005051528.tif 000003
【図２】
2005051528.tif 000004